(57)【要約】【課題】ミュート機能を適切に実行できる画像表示装置及び表示制御方法を提供すること。【解決手段】画像表示装置（プロジェクター１）であって、入力画像を表示する表示部２３と、ミュートキー３１を有する操作部（操作部２５、リモコン３）と、異常を検出する異常検出部２７と、ミュートキーの入力操作に応じて、ミュート画像を表示部２３に表示させ、ミュート画像のみを表示するミュート状態に当該画像表示装置を遷移させるミュート実行部と、当該画像表示装置がミュート状態であるときに異常検出部２７が異常を検出すると、異常が検出されたことを示す第１画像をミュート画像に含めた表示画像を表示部２３に表示させ、ミュート状態でないときに異常検出部２７が異常を検出すると、第１画像を入力画像に含めた表示画像を表示部２３に表示させる表示制御部と、を有する。【選択図】図１
2012123146.tif 000002
【特許請求の範囲】
【請求項１】
入力される画像情報に応じた入力画像を表示する画像表示装置であって、
前記入力画像を表示する表示部と、
予め設定されたミュート画像を表示させるためのミュートキーを有する操作部と、
当該画像表示装置の異常を検出する異常検出部と、
前記ミュートキーの入力操作に応じて前記ミュート画像を前記表示部に表示させ、前記ミュート画像のみを表示するミュート状態に当該画像表示装置を遷移させるミュート実行部と、
当該画像表示装置が前記ミュート状態であるときに前記異常検出部が異常を検出すると、異常が検出されたことを示す第１画像を前記ミュート画像に含めた表示画像を前記表示部に表示させ、当該画像表示装置が前記ミュート状態でないときに前記異常検出部が異常を検出すると、前記第１画像を前記入力画像に含めた表示画像を前記表示部に表示させる表示制御部と、を有する
ことを特徴とする画像表示装置。
【請求項２】
入力される画像情報に応じた入力画像を表示する画像表示装置であって、
前記入力画像を表示する表示部と、
予め設定されたミュート画像を表示させるためのミュートキー、並びに、前記入力画像及び前記ミュート画像とは異なる第１画像を表示させるための他のキーとを有する操作部と、
前記ミュートキーの入力操作に応じて前記ミュート画像を前記表示部に表示させ、前記ミュート画像のみを表示するミュート状態に当該画像表示装置を遷移させるミュート実行部と、
当該画像表示装置が前記ミュート状態であるときに前記他のキーの入力操作が行なわれると、前記第１画像を前記ミュート画像に含めた表示画像を前記表示部に表示させ、当該画像表示装置が前記ミュート状態でないときに前記他のキーの入力操作が行なわれると、前記第１画像を前記入力画像に含めた表示画像を前記表示部に表示させる表示制御部と、を有する
ことを特徴とする画像表示装置。
【請求項３】
請求項１又は請求項２に記載の画像表示装置において、
前記操作部は、前記入力画像の画像情報を切り替える切替キーを有し、
前記表示制御部は、
前記切替キーの入力操作が行われたときに、前記表示画像に前記入力画像が含まれていないと、前記入力画像を含む前記表示画像を前記表示部に表示させ、
前記切替キーの入力操作が行われたときに、前記表示画像に前記入力画像が含まれていると、当該入力画像に代えて、切り替えられた前記画像情報に基づく前記入力画像が含まれる前記表示画像を前記表示部に表示させる
ことを特徴とする画像表示装置。
【請求項４】
入力される画像情報に応じた入力画像を表示する画像表示装置を用いて行われ、画像の表示状態を制御する表示制御方法であって、
前記画像表示装置が、
予め設定されたミュート画像を表示させるためのミュートキーの入力操作に応じて、前記ミュート画像のみを表示するミュート状態に遷移するミュート実行ステップと、
当該画像表示装置が前記ミュート状態であるときに当該画像表示装置の異常が検出されると、検出された異常を示す第１画像を前記ミュート画像に含めた表示画像を表示する第１表示ステップと、
当該画像表示装置が前記ミュート状態でないときに当該画像表示装置の異常が検出されると、前記第１画像を前記入力画像に含めた表示画像を表示する第２表示ステップと、を実行する
ことを特徴とする表示制御方法。
【請求項５】
入力される画像情報に応じた入力画像を表示する画像表示装置を用いて行われ、画像の表示状態を制御する表示制御方法であって、
前記画像表示装置が、
予め設定されたミュート画像を表示させるためのミュートキーの入力操作に応じて、前記ミュート画像のみを表示するミュート状態に遷移するミュート実行ステップと、
当該画像表示装置が前記ミュート状態であるときに他のキーの入力操作が行なわれると、前記入力画像及び前記ミュート画像とは異なる第１画像を前記ミュート画像に含めた表示画像を表示する第１表示ステップと、
当該画像表示装置が前記ミュート状態でないときに前記他のキーの入力操作が行なわれると、前記第１画像を前記入力画像に含めた表示画像を表示する第２表示ステップと、を実行する
ことを特徴とする表示制御方法。
【発明の詳細な説明】
【技術分野】
【０００１】
本発明は、画像表示装置及び画像表示装置を用いて行われる表示制御方法に関する。
【背景技術】
【０００２】
従来、接続されたＰＣ（Personal Computer）等の外部機器から入力される画像信号に応じた画像（入力画像）を表示するプロジェクターが知られている。このようなプロジェクターとして、主電源をＯＮ状態としたままで、当該入力画像を非表示とし、予め設定された所定のミュート画像（例えば、黒画像やロゴ画像）を表示するミュート機能を実行するプロジェクターが知られている（例えば、特許文献１参照）。
【先行技術文献】
【特許文献】
【０００３】
【特許文献１】特開２００３−２８００８７号公報
【発明の概要】
【発明が解決しようとする課題】
【０００４】
しかしながら、特許文献１に記載されているような一般的なプロジェクターでは、ミュート状態（ミュート画像が表示されている状態）で内部異常（例えば、温度異常等）が生じた場合には、ミュート状態が解除され、警告画像とともに入力画像が表示されてしまうという問題がある。
また、ミュート状態で設定項目を変更したい場合でも、設定項目を変更するための設定画面を表示させるためには、ミュート機能を解除する必要があり、同様に入力画像が表示されてしまうという問題がある。
このような入力画像には、プレゼンテーション等において、使用者が観察者に見せたくない画像が含まれる場合があり、ミュート状態が解除される場合でも、入力画像を非表示にできる構成が要望されてきた。
【０００５】
本発明の目的は、ミュート機能を適切に実行できる画像表示装置及び表示制御方法を提供することである。
【課題を解決するための手段】
【０００６】
前記した目的を達成するために、本発明の画像表示装置は、入力される画像情報に応じた入力画像を表示する画像表示装置であって、前記入力画像を表示する表示部と、予め設定されたミュート画像を表示させるためのミュートキーを有する操作部と、当該画像表示装置の異常を検出する異常検出部と、前記ミュートキーの入力操作に応じて前記ミュート画像を前記表示部に表示させ、前記ミュート画像のみを表示するミュート状態に当該画像表示装置を遷移させるミュート実行部と、当該画像表示装置が前記ミュート状態であるときに前記異常検出部が異常を検出すると、異常が検出されたことを示す第１画像を前記ミュート画像に含めた表示画像を前記表示部に表示させ、当該画像表示装置が前記ミュート状態でないときに前記異常検出部が異常を検出すると、前記第１画像を前記入力画像に含めた表示画像を前記表示部に表示させる表示制御部と、を有することを特徴とする。
【０００７】
このような第１画像としては、異常が発生したことや当該異常の内容を示す警告画像を例示できる。
本発明によれば、画像表示装置がミュート状態であるときに異常が検出されると、当該異常を示す第１画像がミュート画像に含まれて表示され、ミュート状態でないときに異常が検出されると、当該第１画像が入力画像に含まれて表示される。これによれば、ミュート状態で異常が発生した場合に、第１画像とともに入力画像が表示されてしまうことを防止できるので、使用者にとって見られたくない入力画像が表示されてしまうことを防止できる。また、画像表示装置がミュート状態であっても無くても、異常が発生した場合には、当該異常を示す第１画像が表示されるので、画像表示装置の使用者に異常の発生を確実に報知できる。
【０００８】
或いは、本発明の画像表示装置は、入力される画像情報に応じた入力画像を表示する画像表示装置であって、前記入力画像を表示する表示部と、予め設定されたミュート画像を表示させるためのミュートキー、並びに、前記入力画像及び前記ミュート画像とは異なる第１画像を表示させるための他のキーとを有する操作部と、前記ミュートキーの入力操作に応じて前記ミュート画像を前記表示部に表示させ、前記ミュート画像のみを表示するミュート状態に当該画像表示装置を遷移させるミュート実行部と、当該画像表示装置が前記ミュート状態であるときに前記他のキーの入力操作が行なわれると、前記第１画像を前記ミュート画像に含めた表示画像を前記表示部に表示させ、当該画像表示装置が前記ミュート状態でないときに前記他のキーの入力操作が行なわれると、前記第１画像を前記入力画像に含めた表示画像を前記表示部に表示させる表示制御部と、を有することを特徴とする。
【０００９】
このような第１画像としては、画像表示装置の設定項目を変更可能な設定画面の画像を例示できる。
本発明によれば、画像表示装置がミュート状態であるときにミュートキーとは異なる他のキーが入力されると、第１画像がミュート画像に含まれて表示される。これによれば、当該第１画像を表示させる際に、ミュート画像から入力画像に切り替わることを防止できるので、前述の場合と同様に、使用者にとって見られたくない入力画像が表示されてしまうことを防止できる。また、画像表示装置がミュート状態であっても無くても第１画像が表示されるので、例えば、当該第１画像が設定画面の画像である場合に、入力画像を非表示とした状態で設定画面での操作を行うことができるので、画像表示装置の利便性を向上できる。
【００１０】
本発明では、前記操作部は、前記入力画像の画像情報を切り替える切替キーを有し、前記表示制御部は、前記切替キーの入力操作が行われたときに、前記表示画像に前記入力画像が含まれていないと、前記入力画像を含む前記表示画像を前記表示部に表示させ、前記切替キーの入力操作が行われたときに、前記表示画像に前記入力画像が含まれていると、当該入力画像に代えて、切り替えられた前記画像情報に基づく前記入力画像が含まれる前記表示画像を前記表示部に表示させることが好ましい。
【００１１】
なお、切替キーの入力に応じて切り替えられる画像情報としては、画像情報を出力する複数の画像出力装置が画像表示装置に接続されている場合に、当該複数の画像出力装置から入力される画像情報のうちのいずれかを例示できる。
本発明によれば、表示画像に入力画像が含まれていない場合、すなわち、第１画像がミュート画像に含まれた表示画像が表示されている場合には、切替キーの入力に応じて、ミュート画像に代えて入力画像が表示画像に含まれて表示されることとなる。これによれば、前述の警告や設定画面を表示させたままで、入力画像を表示させることができる。
一方、表示画像に入力画像が含まれている場合、すなわち、第１画像が入力画像に含まれた表示画像が表示されている場合には、切替キーの入力に応じて、当該入力画像に代えて、切り替えられた画像情報に基づく入力画像が表示画像に含まれて表示される。これによれば、第１画像の表示中でも、入力画像の切替を行うことができる。
【００１２】
また、本発明の表示制御方法は、入力される画像情報に応じた入力画像を表示する画像表示装置を用いて行われ、画像の表示状態を制御する表示制御方法であって、前記画像表示装置が、予め設定されたミュート画像を表示させるためのミュートキーの入力操作に応じて、前記ミュート画像のみを表示するミュート状態に遷移するミュート実行ステップと、当該画像表示装置が前記ミュート状態であるときに当該画像表示装置の異常が検出されると、検出された異常を示す第１画像を前記ミュート画像に含めた表示画像を表示する第１表示ステップと、当該画像表示装置が前記ミュート状態でないときに当該画像表示装置の異常が検出されると、前記第１画像を前記入力画像に含めた表示画像を表示する第２表示ステップと、を実行することを特徴とする。
本発明によれば、異常が検出されたことを示す第１画像を表示する前述の画像表示装置と同様の効果を奏することができる。
【００１３】
或いは、本発明の表示制御方法は、入力される画像情報に応じた入力画像を表示する画像表示装置を用いて行われ、画像の表示状態を制御する表示制御方法であって、前記画像表示装置が、予め設定されたミュート画像を表示させるためのミュートキーの入力操作に応じて、前記ミュート画像のみを表示するミュート状態に遷移するミュート実行ステップと、当該画像表示装置が前記ミュート状態であるときに他のキーの入力操作が行なわれると、前記入力画像及び前記ミュート画像とは異なる第１画像を前記ミュート画像に含めた表示画像を表示する第１表示ステップと、当該画像表示装置が前記ミュート状態でないときに前記他のキーの入力操作が行なわれると、前記第１画像を前記入力画像に含めた表示画像を表示する第２表示ステップと、を実行することを特徴とする。
本発明によれば、前記入力画像及び前記ミュート画像とは異なる第１画像を表示する前述の画像表示装置と同様の効果を奏することができる。
【図面の簡単な説明】
【００１４】
【図１】本発明の一実施形態に係るプロジェクターの構成を示すブロック図。
【図２】前記実施形態における制御部の構成を示すブロック図。
【図３】前記実施形態における表示画像の遷移を示す図。
【図４】前記実施形態における警告表示処理を示すフローチャート。
【図５】前記実施形態における動作制御処理を示すフローチャート。
【発明を実施するための形態】
【００１５】
〔プロジェクターの概略構成〕
以下、本発明の一実施形態を図面に基づいて説明する。
本実施形態に係るプロジェクター１は、図１に示すように、プロジェクター本体２と、当該プロジェクター本体２を遠隔操作するリモートコントローラー（リモコンとも称する）３とを備える。
【００１６】
リモコン３は、複数のキーを有し、当該キーの入力に応じた操作信号を赤外線信号等により送信する。このようなキーとして、プロジェクター本体２の電源をオン／オフさせる電源キー（図示省略）、ミュート機能を実行させるミュートキー３１、設定画面の画像を表示させる他のキーとしてのメニューキー３２、当該設定画面にて各種操作を行うための十字キー、決定キー及びキャンセルキー（ともに図示省略）、並びに、プロジェクター本体２に接続された複数の外部機器から入力される画像情報のうちのいずれかに表示画像の画像情報を切り替える切替キー３３等が配設されている。すなわち、リモコン３は、本発明の操作部として機能する。
なお、赤外線信号によりプロジェクター本体２を操作するリモコンの構成に限らず、電波等によりプロジェクター本体２を操作するリモコンとしてもよい。
【００１７】
〔プロジェクター本体の構成〕
プロジェクター本体２は、ＰＣや各種再生装置等の外部機器９（９１〜９３）から入力される画像情報に応じた画像を表示する。具体的に、プロジェクター本体２は、内部に設けられた光源装置から出射された光束を変調して当該画像信号に応じた画像を形成し、当該画像をスクリーン等の被投射面上に拡大投射する。
このようなプロジェクター本体２は、入力選択部２１、画像処理部２２、表示部２３、受光部２４、操作部２５、入力処理部２６、異常検出部２７、記憶部２８及び制御部２９を備え、これらはバス等の信号線により互いに接続されている。また、プロジェクター本体２は、図示を省略するが、これら各部に電力を供給する電源部、及び、当該プロジェクター本体２の構成を冷却するファン等の冷却部等を備える。
【００１８】
入力選択部２１は、外部機器９１〜９３とそれぞれ接続可能な複数の入力系を有するセレクターであり、後述する制御部２９から入力される制御信号に基づいて、当該入力系のうち、画像処理部２２に画像信号を入力させる入力系を選択して切り替える。換言すると、入力選択部２１は、外部機器９１〜９３から入力される画像情報（画像信号、及び、パケットとして入力される画像データを含む）のうち、画像処理部２２に入力させる画像情報を選択する。
【００１９】
画像処理部２２は、入力選択部２１から入力される画像情報を処理して、当該画像情報に応じた画像（入力画像）を生成する。具体的に、画像処理部２２は、図示しないビデオメモリーに当該入力画像を展開して所定の補正処理等を行った後、当該入力画像に応じた駆動信号を表示部２３に出力する。
【００２０】
このような画像処理部２２は、詳しくは後述するが、制御部２９からミュート機能を実行する旨の制御信号が入力された場合には、予め設定されたミュート画像（本実施形態では黒画像）を生成し、当該ミュート画像に応じた駆動信号を表示部２３に出力する。
また、画像処理部２２は、制御部２９から異常の内容を示す制御信号が入力された場合には、当該異常の内容を示す警告画像を生成し、更に、設定画面を表示させる旨の制御信号が入力された場合には、当該設定画面の画像（設定画像）を生成する。この際、当該制御信号の種別に応じて、これら警告画像及び設定画像を入力画像に重畳させた表示画像を生成し、或いは、ミュート画像に重畳させた表示画像を生成し、当該各表示画像に応じた駆動信号を表示部２３に出力する。これら警告画像及び設定画像は、ＯＳＤ（On Screen Display）の画像として生成される。
【００２１】
表示部２３は、画像処理部２２から入力される駆動信号に応じた画像を形成し、当該画像を前述の被投射面上に拡大投射する。この表示部２３は、図示を省略するが、光源装置、光変調装置及び投射光学装置を備える。
光源装置は、高圧水銀ランプ等の光源ランプ及び反射鏡であるリフレクター、或いはＬＥＤ（Light Emitting Diode）等の固体光源を備え、光変調装置に光束を照射する。
【００２２】
光変調装置は、光源装置から出射された光束を変調して、前述の画像信号に応じた画像を形成する。この光変調装置として、液晶パネルを採用できる他、マイクロミラーを用いたデバイス等を採用できる。また、液晶パネルを採用する場合、透過型及び反射型のいずれの液晶パネルでも採用できる。
投射光学装置は、光変調装置により形成された画像を拡大投射するものであり、鏡筒と、当該鏡筒内に収納される複数のレンズとを備えた組レンズとして構成されている。
【００２３】
受光部２４は、リモコン３から送信された操作信号である赤外線信号を受信して、当該赤外線信号に基づくアナログ信号を入力処理部２６に出力する。
操作部２５は、プロジェクター本体２の筐体表面に設けられた操作パネルにより構成され、当該操作パネルには、前述のリモコン３と同様の複数のキー（例えば、キー３１〜３３）が配設されている。そして、操作部２５は、キーの入力操作に応じた操作信号を入力処理部２６に出力する。
入力処理部２６は、受光部２４及び操作部２５から入力されたアナログ信号をデジタル信号に変換し、当該デジタル信号を制御部２９に出力する。
【００２４】
異常検出部２７は、各種センサーを有し、プロジェクター本体２で生じた異常を検出する。そして、異常検出部２７は、当該センサーにより異常を検出した場合には、異常の内容を示す検出信号を制御部２９に出力する。このような異常検出部２７により検出される異常としては、例えば、内部温度異常、センサー異常及びファン異常等が挙げられる。
記憶部２８は、プロジェクター本体２の動作に必要な各種プログラム及びデータを記憶している。これらプログラム及びデータは、制御部２９により適宜読み出される。このような記憶部２８は、制御部２９を構成する回路基板上に実装されるＲＯＭ（Read Only Memory）等の半導体メモリーや、当該回路基板に接続されるＨＤＤ（Hard Disk Drive）等により構成できる。
【００２５】
制御部２９は、回路基板上に実装されたＣＰＵ（Central Processing Unit）等により構成される。この制御部２９は、リモコン３や操作部２５に対する入力操作に応じて、或いは、自律的に、プロジェクター本体２の各部に制御信号を出力して、当該プロジェクター本体２の動作を制御する。
この制御部２９は、例えば、ミュートキー３１の入力に応じた操作信号が入力された場合には、画像処理部２２にミュート画像を生成させるとともに当該ミュート画像を表示部２３に表示させて、プロジェクター１をミュート状態に遷移させる。この他、制御部２９は、異常検出部２７から検出信号が入力された場合、或いは、メニューキー３２の入力操作に応じた操作信号が入力された場合には、画像処理部２２に前述の警告画像及び設定画像を表示させる。この際、ミュート画像のみが表示されているミュート状態であるか否かに応じて、制御部２９は、警告画像及び設定画像をミュート画像に含めた画像を表示させる場合と、入力画像に含めた画像を表示させる場合とを切り替えて、プロジェクター１による画像の表示状態を制御する。更に、制御部２９は、前述の切替キー３３が入力された場合でも、ミュート画像が表示されているか否か、及び、表示画像に入力画像が含まれているか否かによって、入力画像の表示、及び、入力信号の切替等の表示状態の制御を行う。
【００２６】
図２は、制御部２９の構成を示す機能ブロック図である。
このような制御部２９は、図２に示すように、入力判定部２９１、異常判定部２９２、状態判定部２９３、表示判定部２９４及び処理実行部２９５を有する。
入力判定部２９１は、入力処理部２６から入力される操作信号に基づいて、入力されたキーが、ミュートキー３１であるのか、切替キー３３であるのか、或いは、それ以外のキーであるのかを判定する。
異常判定部２９２は、異常検出部２７から検出信号が入力されたか否かを判定することにより、異常が検出されたか否か（異常が発生したか否か）を判定する。
【００２７】
状態判定部２９３は、プロジェクター１がミュート画像のみを表示する状態（ミュート状態）であるか否かを判定する。この状態判定部２９３による判定処理は、記憶部２８に記憶された状態フラグを参照することで行われる。
表示判定部２９４は、表示部２３にて表示されている表示画像に入力画像が含まれているか否かを判定する。換言すると、表示判定部２９４は、画像処理部２２により生成される画像に、入力画像が含まれているか否かを判定する。この表示判定部２９４による判定処理も、記憶部２８に記憶された表示フラグを参照することにより行われる。
【００２８】
処理実行部２９５は、本発明のミュート実行部及び表示制御部の機能を有する。この処理実行部２９５は、上記各判定部２９１〜２９４による判定結果に基づいて、入力された操作信号及び検出信号に応じた処理を実行する。また、処理実行部２９５は、前述の状態フラグ及び表示フラグの設定等の処理を行う。
【００２９】
以下、プロジェクター本体２により表示される表示画像の遷移を説明する。
図３は、当該表示画像の遷移を示す図である。
図３に示すように、例えば、入力系Ａに接続された外部機器９１からの入力画像ＰＡの表示中に、前述の切替キー３３が入力されると、制御部２９は、入力選択部２１に、画像処理部２２に画像情報を入力させる入力系を入力系Ａから入力系Ｂに切り替えさせる制御信号を出力する。これにより、入力系Ｂに接続された外部機器９からの画像情報に応じた入力画像ＰＢが表示部２３にて表示される。
【００３０】
また、入力画像ＰＡの表示中に、異常検出部２７により異常（図３の例では温度異常）が検出されると、当該異常の内容を示す警告画像ＣＰが入力画像ＰＡに重畳された表示画像ＤＰ１が表示される。
更に、入力画像ＰＡの表示中に、前述のメニューキー３２が入力されると、設定画像ＳＰが入力画像ＰＡに重畳された表示画像ＤＰ２が表示される。
これら入力画像ＰＡ，ＰＢ及び表示画像ＤＰ１，ＤＰ２を表示させる際には、処理実行部２９５は、プロジェクター１がミュート状態でない旨を示す内容に状態フラグを設定し、また、入力画像が含まれる旨を示す内容に表示フラグを設定する。
【００３１】
一方、入力画像ＰＡの表示中に、前述のミュートキー３１が入力されると、処理実行部２９５は、ミュート画像ＭＰを画像処理部２２に生成させ、当該ミュート画像ＭＰのみを表示部２３に表示させて、プロジェクター１をミュート状態に遷移させる。この際、処理実行部２９５は、プロジェクター１がミュート状態である旨を示す内容に状態フラグを設定し、また、入力画像が含まれない旨を示す内容に表示フラグを設定する。
このミュート状態で、再度ミュートキー３１が入力された場合、及び、切替キー３３が入力された場合には、処理実行部２９５は、現在選択されている入力系の画像情報に応じた入力画像ＰＡを画像処理部２２に生成させ、当該入力画像ＰＡを表示部２３に表示させる。この場合、処理実行部２９５は、プロジェクター１がミュート状態でない旨を示す内容に状態フラグを設定し、また、入力画像が含まれる旨を示す内容に表示フラグを設定する。
【００３２】
また、ミュート状態で、異常検出部２７により異常（図３の例では温度異常）が検出されると、処理実行部２９５は、前述の警告画像ＣＰがミュート画像ＭＰに重畳された表示画像ＤＰ３を画像処理部２２に表示させ、当該表示画像ＤＰ３を表示部２３に表示させる。この場合、処理実行部２９５は、プロジェクター１がミュート状態でない旨を示す内容に状態フラグを設定し、また、入力画像が含まれない旨を示す内容に表示フラグを設定する。
【００３３】
この表示画像ＤＰ３の表示中に、切替キー３３が入力されると、処理実行部２９５は、ミュート画像ＭＰに代えて入力画像ＰＡに警告画像ＣＰが重畳された表示画像ＤＰ４を画像処理部２２に生成させ、当該表示画像ＤＰ４を表示部２３に表示させる。この際には、状態フラグは変更されずに、入力画像が含まれる旨を示す内容に表示フラグの内容が設定される。
そして更に、切替キー３３が入力されると、処理実行部２９５は、入力選択部２１に入力系Ａから入力系Ｂへの入力系の切替を行わせる。これにより、入力画像ＰＢに警告画像ＣＰが重畳された表示画像ＤＰ５が画像処理部２２により生成され、当該表示画像ＤＰ５が表示部２３に表示される。この際には、状態フラグ及び表示フラグは変更されない。
【００３４】
他方、ミュート状態で、メニューキー３２が入力されると、処理実行部２９５は、前述の設定画像ＳＰがミュート画像ＭＰに重畳された表示画像ＤＰ６を画像処理部２２に生成させ、当該表示画像ＤＰ６を表示部２３に表示させる。この際、処理実行部２９５は、異常が検出された場合と同様に、ミュート状態でない旨を示す内容に状態フラグを設定し、また、入力画像が含まれない旨を示す内容に表示フラグを設定する。
この表示画像ＤＰ６の表示中に、切替キー３３が入力されると、処理実行部２９５は、前述の場合と同様に、ミュート画像ＭＰに代えて入力画像ＰＡに設定画像ＳＰが重畳された表示画像ＤＰ７を画像処理部２２に生成させ、当該表示画像ＤＰ７を表示部２３に表示させる。この際には、状態フラグは変更されずに、入力画像が含まれる旨を示す内容に表示フラグの内容が設定される。
【００３５】
そして更に、切替キー３３が入力されると、処理実行部２９５が、入力選択部２１に入力系Ａから入力系Ｂへの入力系の切替を行わせる。これにより、入力画像ＰＢに設定画像ＳＰが重畳された表示画像ＤＰ８が画像処理部２２により生成され、当該表示画像ＤＰ８が表示部２３に表示される。この際にも、前述の場合と同様に、状態フラグ及び表示フラグは変更されず、これら各フラグの内容は、ミュート状態でない旨の内容、及び、入力画像が含まれる旨の内容のままである。
【００３６】
〔警告表示処理〕
以下、制御部２９により実行される表示制御処理の１つである警告表示処理について説明する。
図４は、当該警告表示処理を示すフローチャートである。
制御部２９は、電源がオンされると、異常が生じた場合に備えて、記憶部２８に記憶された警告表示処理を実行するためのプログラム及びデータを読み込み、当該警告表示処理を実行する。
この警告表示処理では、図４に示すように、まず、異常判定部２９２が、異常検出部２７から検出信号が入力されたか否かを判定する（ステップＳＡ１）。ここで、異常判定部２９２は、検出信号の入力の有無を繰り返し判定し、当該異常判定部２９２により、検出信号が入力されたと判定された場合、制御部２９は、ステップＳＡ２に移行する。
【００３７】
ステップＳＡ２では、プロジェクター１がミュート状態であるか否かを、状態判定部２９３が判定する（ステップＳＡ２）。
ここで、プロジェクター１がミュート状態であると判定されると、処理実行部２９５は、検出された異常の内容を示す警告画像ＣＰがミュート画像ＭＰに重畳された表示画像（例えば、前述の表示画像ＤＰ３）を表示させる（ステップＳＡ３）。換言すると、プロジェクター１がミュート状態であるときに異常が検出されると、処理実行部２９５は、当該表示画像を表示部２３に表示させる。
一方、プロジェクター１がミュート状態でないと判定されると、処理実行部２９５は、警告画像ＣＰが入力画像に重畳された表示画像（例えば、前述の表示画像ＤＰ４）を表示させる（ステップＳＡ４）。換言すると、プロジェクター１がミュート状態でないときに異常が検出されると、処理実行部２９５は、当該画像を表示部２３に表示させる。
以上により、警告表示処理は終了する。
【００３８】
このように、プロジェクター本体２の電源がオンされている状態では、異常検出部２７により異常が検出されたか否か（検出信号が入力されたか否か）が監視され、異常が検出された場合には、上記ステップＳＡ２〜ＳＡ４が割り込み処理として実行され、前述の警告画像ＣＰを含む表示画像が表示される。
なお、上記警告表示処理は、他の異常が検出された場合に備えて繰り返し実行される。
【００３９】
〔動作制御処理〕
以下、制御部２９により実行される表示制御処理の１つである動作制御処理について説明する。
図５は、当該動作制御処理を示すフローチャートである。
制御部２９は、電源がオンされると、記憶部２８に記憶された動作制御処理を実行するためのプログラム及びデータを読み込む。そして、当該制御部２９は、入力処理部２６からデジタル化された操作信号が入力されると、動作制御処理を実行する。
この動作制御処理では、図５に示すように、まず、入力判定部２９１が、入力された操作信号に基づいて、入力されたキーがミュートキー３１であるか否かを判定する（ステップＳＢ０１）。
【００４０】
このステップＳＢ０１の判定処理にて、入力されたキーがミュートキー３１であると判定されると、状態判定部２９３が、状態フラグを参照して、プロジェクター１がミュート状態であるか否かを判定する（ステップＳＢ０２）。
ここで、プロジェクター１がミュート状態でないと判定されると、処理実行部２９５が、ミュート画像ＭＰを表示させて、プロジェクター１をミュート状態に遷移させる（ステップＳＢ０３）。この際、前述の警告画像ＣＰや設定画像ＳＰが表示画像中に含まれていた場合でも、ステップＳＢ０３にて、これら画像は非表示とされ、ミュート画像ＭＰのみが表示画像として表示される。そして、処理実行部２９５は、プロジェクター１がミュート状態である旨の内容に状態フラグを設定し、入力画像が含まれない旨の内容に表示フラグを設定する。
【００４１】
一方、プロジェクター１がミュート状態であると判定されると、処理実行部２９５は、入力画像（例えば、入力画像ＰＡ）を表示させる（ステップＳＢ０４）。この際、処理実行部２９５は、警告画像ＣＰや設定画像ＳＰがミュート画像ＭＰに重畳されていた場合には、当該画像ＣＰ，ＳＰが入力画像に重畳された画像（例えば、表示画像ＤＰ４，ＤＰ７）を表示させる。これにより、ミュート状態が解除される（プロジェクター１が非ミュート状態に遷移される）。そして、処理実行部２９５は、プロジェクター１がミュート状態でない旨の内容に状態フラグを設定し、入力画像が含まれる旨の内容に表示フラグを設定する。
これらステップＳＢ０３，ＳＢ０４の後、制御部２９は、動作制御処理を終了する。
【００４２】
ステップＳＢ０１の判定処理にて、ミュートキー３１でないと判定されると、入力判定部２９１は、入力されたキーが切替キー３３であるか否かを判定する（ステップＳＢ０５）。
ここで、切替キー３３であると判定されると、状態判定部２９３は、プロジェクター１がミュート状態であるか否かを判定する（ステップＳＢ０６）。この判定処理にて、プロジェクター１がミュート状態であると判定されると、前述のステップＳＢ０４と同様に、処理実行部２９５が、入力画像を表示させる（ステップＳＢ０７）。これにより、ミュート状態が解除され、例えば図３で示したように、ミュート画像ＭＰから入力画像ＰＡへの表示切替が行われる。そして、処理実行部２９５が、ステップＳＢ０４と同様の内容に状態フラグ及び表示フラグを設定し、動作制御処理は終了される。
【００４３】
ステップＳＢ０６の判定処理にて、プロジェクター１がミュート状態でないと判定されると、表示判定部２９４が、表示画像に入力画像が含まれているか否かを判定する（ステップＳＢ０８）。
ここで、入力画像が含まれていると判定された場合（例えば、入力画像ＰＡ及び表示画像ＤＰ４，ＤＰ７が表示されている場合）には、切替キー３３の入力に応じた通常の動作、すなわち、入力選択部２１による入力系の切替が処理実行部２９５の制御の下で行われる（ステップＳＢ０９）。これにより、例えば、図３で示したように、入力画像ＰＡから入力画像ＰＢへの切替、表示画像ＤＰ４から表示画像ＤＰ５への切替、及び、表示画像ＤＰ７から表示画像ＤＰ８への切替が行われる。なお、この入力系の切替による表示画像の切替では、状態フラグ及び表示フラグの内容は変更されない。
このステップＳＢ０９の後、動作制御処理は終了される。
【００４４】
一方、ステップＳＢ０８の判定処理にて、入力画像が含まれないと判定された場合には、処理実行部２９５が、ミュート画像ＭＰに代えて入力画像を生成させ、必要に応じて警告画像ＣＰ及び設定画像ＳＰを重畳させた後、当該入力画像を表示させる（ステップＳＢ１０）。これにより、例えば、図３で示したように、表示画像ＤＰ３から表示画像ＤＰ４への切替、及び、表示画像ＤＰ６から表示画像ＤＰ７への切替が行われる。この表示画像の切替により、状態フラグは変更されないものの、表示フラグの内容は、入力画像が含まれる旨の内容に設定される。
このステップＳＢ１０の後、動作制御処理は終了される。
【００４５】
ステップＳＢ０５の判定処理にて、入力されたキーが切替キー３３でないと判定された場合には、処理実行部２９５は、当該入力されたキーに応じた処理（当該キーの入力に応じて入力される操作信号に応じた処理）を実行する（ステップＳＢ１１）。
【００４６】
このため、例えば、プロジェクター１がミュート状態でないとき（入力画像が表示されているとき）にメニューキー３２の入力操作が行われた場合（当該入力操作に応じた操作信号が入力された場合）には、処理実行部２９５は、前述の設定画像ＳＰが入力画像に重畳された表示画像（例えば、表示画像ＤＰ２）を表示させる。この場合には、状態フラグ及び表示フラグは変更されない。
また、プロジェクター１がミュート状態であるとき（ミュート画像ＭＰのみが表示されているとき）に、当該入力操作が行われた場合には、処理実行部２９５は、設定画像ＳＰがミュート画像ＭＰに重畳された表示画像（例えば、表示画像ＤＰ６）を表示させる。この場合には、プロジェクター１がミュート状態でない旨の内容に状態フラグが設定され、入力画像が含まれない旨の内容に表示フラグが設定される。
【００４７】
同様に、表示画像の内容に変化が無いキーの入力操作（表示画像の台形補正、ズーム及びフォーカス等の調整操作）が行われた場合には、当該表示画像の内容に関り無く、当該キーに応じた処理が制御部２９等により実行される。この場合にも、状態フラグ及び表示フラグは変更されない。このステップＳＢ１１の後、動作制御処理は終了される。
このような動作制御処理は、キー入力に応じて実行される。
【００４８】
以上説明した本実施形態に係るプロジェクター１によれば、以下の効果がある。
プロジェクター１がミュート状態であるときに異常が検出されると、警告画像ＣＰがミュート画像ＭＰに重畳されて表示され、プロジェクター１がミュート状態でないときに異常が検出されると、当該警告画像ＣＰが入力画像に含まれて表示される。これによれば、ミュート状態で異常が発生した場合に、警告画像とともに入力画像が表示されてしまうことを防止できるので、使用者にとって見られたくない入力画像が表示されてしまうことを防止できる。また、プロジェクター１がミュート状態であっても無くても、異常が発生した場合には、警告画像ＣＰが表示されるので、使用者に異常の発生を確実に報知できる。
【００４９】
プロジェクター１がミュート状態であるときにメニューキー３２が入力されると、設定画像ＳＰがミュート画像ＭＰに重畳されて表示される。これによれば、当該設定画像ＳＰを表示させる際に、ミュート画像ＭＰから入力画像に切り替わり、使用者にとって見られたくない入力画像が表示されてしまうことを防止できる。また、プロジェクター１がミュート状態であっても無くても設定画像ＳＰが表示されるので、入力画像を非表示とした状態で設定操作を行うことができ、プロジェクター１の利便性を向上できる。
【００５０】
表示画像に入力画像が含まれていない場合、すなわち、ミュート画像ＭＰに警告画像ＣＰ又は設定画像ＳＰが重畳された表示画像が表示されている場合には、切替キー３３の入力操作に応じて、ミュート画像ＭＰに代えて入力画像が生成され、これにより、当該画像ＣＰ，ＳＰが入力画像に重畳された表示画像が表示される。これによれば、警告画像ＣＰ及び設定画像ＳＰを表示させたまま、入力画像を表示させることができる。従って、画質調整の際に、調整された入力画像の画質を確認できる。
また、表示画像に入力画像が含まれている場合、すなわち、入力画像に警告画像ＣＰ又は設定画像ＳＰが重畳された表示画像が表示されている場合には、切替キー３３の入力操作に応じて、入力系の切替が行われる。そして、表示されていた入力画像に代えて、切り替えられた入力系に入力される画像情報に基づく入力画像が生成され、これにより、当該入力画像に画像ＣＰ，ＳＰが重畳された表示画像が表示される。これによれば、警告画像ＣＰ及び設定画像ＳＰを表示させたまま、入力画像を切り替えることができる。従って、プロジェクター１の利便性を向上できる。
【００５１】
〔実施形態の変形〕
本発明は前述の実施形態に限定されるものではなく、本発明の目的を達成できる範囲での変形、改良等は本発明に含まれるものである。
前記実施形態では、警告画像ＣＰ及び設定画像ＳＰを表示する際には、ミュート画像ＭＰ又は入力画像に重畳させた状態で表示するとしたが、本発明はこれに限らない。例えば、ミュート画像ＭＰ及び入力画像を縮小し、空いた領域に警告画像ＣＰ及び設定画像ＳＰを配置した画像を表示するようにしてもよい。
【００５２】
前記実施形態では、ミュート状態で異常が検出された際に、ミュート画像ＭＰに警告画像ＣＰが重畳された表示画像が表示され、また、ミュート状態で他のキーとしてのメニューキーが入力された際に、ミュート画像ＭＰに設定画像ＳＰが重畳された表示画像が表示されるとしたが、本発明はこれに限らない。例えば、ミュート状態で所定のキーを入力することにより、プロジェクター本体の状態（現在の入力系等）を示す確認画像をミュート画像ＭＰに重畳させた表示画像を表示するようにしてもよい。
【００５３】
前記実施形態では、プロジェクター１がミュート状態であるか否かを示す状態フラグと、入力画像が表示画像に含まれるか否かを示す表示フラグとを参照して、前述の警告表示処理及び動作制御処理を実行するとしたが、本発明はこれに限らない。すなわち、ミュート状態であるか否か、及び、入力画像が表示画像に含まれるか否かを判定可能であれよく、各状態を示す情報をフラグの形式で保持しなくてもよい。また、フラグの形式で保持する場合でも、「表示画像に入力画像が含まれる状態」、「表示画像に入力画像が含まれない状態」及び「ミュート状態」をそれぞれ示す数値や文字等が設定される１つのフラグとして保持してもよい。この場合、前述の状態判定部２９３及び表示判定部２９４を、これらの機能を有する１つの機能部として構成してもよい。
【００５４】
前記実施形態では、ミュート画像ＭＰとして黒画像を例示したが、本発明はこれに限らない。例えば、ロゴが含まれる画像としてもよく、或いは、他の画像としてもよい。
前記実施形態では、画像表示装置としてプロジェクターを例示したが、本発明はこれに限らない。すなわち、液晶、プラズマ、有機ＥＬ（Electro-Luminescence）及びＣＲＴ（Cathode Ray Tube）等の各種ディスプレイにも本発明を適用可能である。
【産業上の利用可能性】
【００５５】
本発明は、プロジェクターや各種ディスプレイ等の画像表示装置に好適に利用できる。
【符号の説明】
【００５６】
１…プロジェクター（画像表示装置）、３…リモコン（操作部）、２３…表示部、２５…操作部、２７…異常検出部、３１…ミュートキー、３２…メニューキー（他のキー）、３３…切替キー、２９５…処理実行部（ミュート実行部、表示制御部）、ＣＰ…警告画像（第１画像）、ＭＰ…ミュート画像、ＰＡ，ＰＢ…入力画像、ＳＰ…設定画像（第１画像）。
【図１】
2012123146.tif 000003
【図２】
2012123146.tif 000004
【図３】
2012123146.tif 000005
【図４】
2012123146.tif 000006
【図５】
2012123146.tif 000007